(57)【要約】【課題】ディスプレイドライバの動作方法、及びディスプレイ制御システムを提供する。【解決手段】ディスプレイドライバの動作方法、及びディスプレイ制御システムが提供される。ディスプレイドライバの動作方法は、連続して入力される複数の第１フレームデータのそれぞれのＣＲＣを互いに比較する段階と、複数の第１フレームデータのそれぞれのＣＲＣが互いに一致する時、連続して入力される複数の第２フレームデータのそれぞれを互いに比較する段階と、複数の第２フレームデータのそれぞれが互いに一致する時、パネル・セルフリフレッシュ・モードに進入する段階と、を含む。【選択図】      図１
2013190777.tif 000002
【特許請求の範囲】
【請求項１】
連続して入力される複数の第１フレームデータのそれぞれのＣＲＣを互いに比較する段階と、
前記複数の第１フレームデータのそれぞれの前記ＣＲＣが互いに一致する時、連続して入力される複数の第２フレームデータのそれぞれを互いに比較する段階と、
前記複数の第２フレームデータのそれぞれが互いに一致する時、パネル・セルフリフレッシュ・モードに進入する段階と、
を含むディスプレイドライバの動作方法。
【請求項２】
前記ディスプレイドライバの動作方法は、前記複数の第２フレームデータのそれぞれが互いに一致する時、フレームデータ伝送中止要請信号をアプリケーションプロセッサに伝送する段階をさらに含む請求項１に記載のディスプレイドライバの動作方法。
【請求項３】
前記ディスプレイドライバの動作方法は、前記パネル・セルフリフレッシュ・モードで動作する間に、前記複数の第１フレームデータと前記複数の第２フレームデータとのうち、何れか１つのフレームデータをディスプレイに伝送する段階をさらに含む請求項１に記載のディスプレイドライバの動作方法。
【請求項４】
前記複数の第２フレームデータは、前記複数の第１フレームデータに連続して入力される請求項１に記載のディスプレイドライバの動作方法。
【請求項５】
前記ディスプレイドライバの動作方法は、前記パネル・セルフリフレッシュ・モードで動作する間に、新たな複数の第３フレームデータが入力されれば、前記複数の第３フレームデータのそれぞれのフレームレートを調節し、該調節された複数の第３フレームデータのそれぞれを連続してディスプレイに伝送する段階をさらに含む請求項１に記載のディスプレイドライバの動作方法。
【請求項６】
前記ディスプレイドライバの動作方法は、前記調節された複数の第３フレームデータのそれぞれを連続して前記ディスプレイに伝送する間に、アプリケーションプロセッサから出力されたフレームデータと前記ディスプレイに伝送されるフレームデータとが互いに同期する時、ビデオモードに進入する段階をさらに含む請求項5に記載のディスプレイドライバの動作方法。
【請求項７】
連続して複数のフレームデータを出力するアプリケーションプロセッサと、
前記アプリケーションプロセッサから受信された前記複数のフレームデータに基づいて、パネル・セルフリフレッシュ・モードに進入するディスプレイドライバと、を含み、
前記ディスプレイドライバは、
前記複数のフレームデータのうちから複数の第１フレームデータのそれぞれのＣＲＣが互いに一致する時、前記複数の第１フレームデータと連続して入力される複数の第２フレームデータのそれぞれを互いに比較し、前記複数の第２フレームデータのそれぞれが互いに一致する時、前記パネル・セルフリフレッシュ・モードに進入するディスプレイ制御システム。
【請求項８】
パネル・セルフリフレッシュ・モードで動作する間に、アプリケーションプロセッサから第１フレームデータを受信する段階と、
前記第１フレームデータとディスプレイに伝送される第２フレームデータとの同期如何を判断する段階と、
判断の結果によって、前記第１フレームデータと前記第２フレームデータとが同期していない時、前記第１フレームデータのフレームレートを調節し、該調節された第１フレームデータを前記ディスプレイに伝送し、前記第１フレームデータと前記第２フレームデータとが同期した時、ビデオモードに切り替える段階と、
を含むディスプレイドライバの動作方法。
【請求項９】
前記ビデオモードは、前記ディスプレイドライバが前記アプリケーションプロセッサから受信された新たなフレームデータを直接前記ディスプレイに伝送するモードである請求項８に記載のディスプレイドライバの動作方法。
【請求項１０】
前記判断する段階は、前記第１フレームデータの第１バーティカル・ブランキング・インターバルと前記第２フレームデータの第２バーティカル・ブランキング・インターバルとが互いに重なるか否かによって、前記第１フレームデータと前記第２フレームデータとの同期如何を判断する請求項８に記載のディスプレイドライバの動作方法。
【発明の詳細な説明】
【技術分野】
【０００１】
本発明は、ディスプレイドライバの動作方法に係り、特に、ホスト（ｈｏｓｔ）から静止映像を受信した時、パネル・セルフリフレッシュ（Ｐａｎｅｌ  Ｓｅｌｆ−Ｒｅｆｒｅｓｈ、ＰＳＲ）・モード（ｍｏｄｅ）で動作する省エネのディスプレイドライバの動作方法、及びディスプレイ制御システムに関する。
【背景技術】
【０００２】
アプリケーションプロセッサ（Ａｐｐｌｉｃａｔｉｏｎ  Ｐｒｏｃｅｓｓｏｒ）は、ディスプレイドライバ（Ｄｉｓｐｌａｙ  Ｄｒｉｖｅｒ）に一定のレート（ｒａｔｅ）で映像データを伝送する。このレートは、リフレッシュ（ｒｅｆｒｅｓｈ）レートまたはバーティカル周波数（ｖｅｒｔｉｃａｌ  ｆｒｅｑｕｅｎｃｙ）と言われ、映像データの変化がない時にも、一定の値で保持される。すなわち、静止映像がディスプレイされている時にも、アプリケーションプロセッサは、ディスプレイドライバに映像データを伝送するので、電力が消費される。
【０００３】
最近開発されるディスプレイドライバは、省エネのために、パネル・セルフリフレッシュ（ＰＳＲ）機能を含む。ＰＳＲ機能は、ホストから出力される映像データが静止映像である時、アプリケーションプロセッサの映像データの出力を中止し、ディスプレイコントローラに含まれたメモリ（例えば、フレームバッファ（Ｆｒａｍｅ  Ｂｕｆｆｅｒ）に保存された映像データをディスプレイする機能である。
ＰＳＲ機能は、システム電力を節約し、制限された容量のバッテリ（ｂａｔｔｅｒｙ）から電力を供給されるモバイル（ｍｏｂｉｌｅ）機器に適用されて、モバイル機器のバッテリ寿命を延長する。ディスプレイシステムがＰＳＲモードで動作する時、ディスプレイドライバを含むディスプレイモジュールとアプリケーションプロセッサのそれぞれは、消費電力を減らしうる。従来のＰＳＲ技術では、アプリケーションプロセッサが、ディスプレイされる映像データの静止映像の有無を判断し、該判断の結果によって、ディスプレイドライバにＰＳＲに対する制御信号を伝送する。
【０００４】
アプリケーションプロセッサが、ディスプレイされる映像データの静止映像の有無を判断する方法には、ＣＲＣチェック（Ｃｙｃｌｉｃ  Ｒｅｄｕｎｄａｎｃｙ  Ｃｈｅｃｋ）方法、フレームバッファアドレス（Ｆｒａｍｅ  Ｂｕｆｆｅｒ  Ａｄｄｒｅｓｓ）チェック方法、及びフルデータ（ｆｕｌｌ−ｄａｔａ）チェック方法がある。
ＣＲＣチェック方法は、ディスプレイされる映像データのＣＲＣを計算し、該計算されたＣＲＣを用いて、静止映像の有無を判断する。このＣＲＣチェック方法は、静止映像判断に対してエラーが発生し、アプリケーションプロセッサは、ＣＲＣの計算によって、他の作業の速度に影響を受けることがある。フレームバッファアドレスチェック方法は、アプリケーションプロセッサのフレームバッファの書き込み動作の実行如何によって、静止映像の有無を判断する。このフレームバッファアドレスチェック方法は、アプリケーションプロセッサのチップにフレームバッファアドレスチェック機能を追加して製作しなければならない。
【０００５】
フルデータチェック方法は、ディスプレイされる映像データをピクセルごとに比較して、静止映像の有無を判断する。このフルデータチェック方法は、完璧に静止映像の有無を判断することができるが、多数のメモリアクセスが必要であり、フルデータチェック機能を追加して製作しなければならない。
アプリケーションプロセッサが、ディスプレイされる映像データの静止映像の有無を判断する方法は、アプリケーションプロセッサの作業速度に多くの影響を与えるか、アプリケーションプロセッサがＰＳＲ機能を支援して初めて使うことができる。また、ＰＳＲモードで動作する間に、ディスプレイドライバは、アプリケーションプロセッサと関連なしにディスプレイされる映像データのフレームレートを調節することができる。したがって、ＰＳＲモードを離脱する(exit)時、ディスプレイドライバとアプリケーションプロセッサは、同期化されず、映像のテアリング現象（ｔｅａｒｉｎｇ  ｅｆｆｅｃｔ）またはフレーム損失が発生する恐れがある。
【先行技術文献】
【特許文献】
【０００６】
【特許文献１】米国特許出願公開第２０１０／０１２３７２７号明細書
【特許文献２】米国特許出願公開第２０１１／０１１５７８１号明細書
【特許文献３】米国特許第７，０５３，８７６号公報
【特許文献４】米国特許出願公開第２００８／０１７４５２２号明細書
【特許文献５】米国特許出願公開第２０１１／００５０８６３号明細書
【特許文献６】米国特許出願公開第２０１０／００６０５５４号明細書
【特許文献７】米国特許第６，０２１，５０６号公報
【特許文献８】米国特許出願公開第２００８／０００１９３４号明細書
【特許文献９】米国特許出願公開第２０１０／００７９４７３号明細書
【特許文献１０】特開２００７−２７９５４３号公報
【特許文献１１】特開２００５−３１１５７２号公報
【特許文献１２】特開１９９４−２１７２４２号公報
【特許文献１３】韓国特許第０９２０３７４号公報
【特許文献１４】韓国特許第０５９０３２６号公報
【特許文献１５】韓国特許出願公開第２０１１−００５４７７５号公報
【特許文献１６】韓国特許出願公開第２００８−００６７９２７号公報
【特許文献１７】韓国特許出願公開第２０１１−００４５６４３号公報
【特許文献１８】韓国特許出願公開第２０１１−００４７６５５号公報
【特許文献１９】韓国特許第０９６５５９１号公報
【発明の概要】
【発明が解決しようとする課題】
【０００７】
本発明が解決しようとする技術的な課題は、ディスプレイドライバによって静止映像の有無を判断し、ＰＳＲモードを離脱する時、映像のテアリング現象またはフレーム損失を防止するディスプレイドライバの動作方法、及びディスプレイ制御システムを提供することにある。
【課題を解決するための手段】
【０００８】
本発明の一実施形態によるディスプレイドライバの動作方法は、連続して入力される複数の第１フレームデータのそれぞれのＣＲＣを互いに比較する段階と、前記複数の第１フレームデータのそれぞれの前記ＣＲＣが互いに一致する時、連続して入力される複数の第２フレームデータのそれぞれを互いに比較する段階と、前記複数の第２フレームデータのそれぞれが互いに一致する時、パネル・セルフリフレッシュ・モードに進入する段階と、を含む。
【０００９】
前記ディスプレイドライバの動作方法は、前記複数の第２フレームデータのそれぞれが互いに一致する時、フレームデータ伝送中止要請信号をアプリケーションプロセッサに伝送する段階をさらに含みうる。前記ディスプレイドライバの動作方法は、前記パネル・セルフリフレッシュ・モードで動作する間に、前記複数の第１フレームデータと前記複数の第２フレームデータとのうち、何れか１つのフレームデータをディスプレイに伝送する段階をさらに含みうる。前記複数の第２フレームデータは、前記複数の第１フレームデータに連続して入力されうる。
前記ディスプレイドライバの動作方法は、前記パネル・セルフリフレッシュ・モードで動作する間に、新たな複数の第３フレームデータが入力されれば、前記複数の第３フレームデータのそれぞれのフレームレートを調節し、該調節された複数の第３フレームデータのそれぞれを連続してディスプレイに伝送する段階をさらに含みうる。
【００１０】
前記ディスプレイドライバの動作方法は、前記調節された複数の第３フレームデータのそれぞれを連続して前記ディスプレイに伝送する間に、アプリケーションプロセッサから出力されたフレームデータと前記ディスプレイに伝送されるフレームデータとが互いに同期する時、ビデオモードに進入する段階をさらに含みうる。
本発明の一実施形態によるディスプレイ制御システムは、連続して複数のフレームデータを出力するアプリケーションプロセッサと、前記アプリケーションプロセッサから受信された前記複数のフレームデータに基づいて、パネル・セルフリフレッシュ・モードに進入するディスプレイドライバと、を含み、前記ディスプレイドライバは、前記複数のフレームデータのうちから複数の第１フレームデータのそれぞれのＣＲＣが互いに一致する時、前記複数の第１フレームデータと連続して入力される複数の第２フレームデータのそれぞれを互いに比較し、前記複数の第２フレームデータのそれぞれが互いに一致する時、前記パネル・セルフリフレッシュ・モードに進入する。
【００１１】
前記ディスプレイドライバは、前記複数の第２フレームデータのそれぞれが互いに一致する時、フレームデータ伝送中止要請信号を前記アプリケーションプロセッサに伝送し、前記アプリケーションプロセッサは、前記フレームデータ伝送中止要請信号に応答して、新たなフレームデータの伝送を中止することができる。前記パネル・セルフリフレッシュ・モードで動作する間に、前記複数の第１フレームデータと前記複数の第２フレームデータとのうち、何れか１つのフレームデータをディスプレイに伝送しうる。
前記アプリケーションプロセッサが、新たに入力される複数の第３フレームデータを伝送すれば、前記ディスプレイドライバは、前記複数の第３フレームデータのそれぞれのフレームレートを調節し、該調節された複数の第３フレームデータのそれぞれを連続してディスプレイに伝送しうる。前記ディスプレイドライバは、前記調節された複数の第３フレームデータのそれぞれを前記ディスプレイに伝送する間に、前記アプリケーションプロセッサから出力されたフレームデータと前記調節されたフレームデータとが同期化される時、ビデオモードに進入することができる。前記ビデオモードで動作する間に、前記ディスプレイドライバは、前記アプリケーションプロセッサから受信されたフレームデータを直接前記ディスプレイに伝送しうる。
【００１２】
本発明の他の実施形態によるディスプレイドライバの動作方法は、パネル・セルフリフレッシュ・モードで動作する間に、アプリケーションプロセッサから第１フレームデータを受信する段階と、前記第１フレームデータとディスプレイに伝送される第２フレームデータとの同期如何を判断する段階と、判断の結果によって、前記第１フレームデータと前記第２フレームデータとが同期していない時、前記第１フレームデータのフレームレートを調節し、該調節された第１フレームデータを前記ディスプレイに伝送し、前記第１フレームデータと前記第２フレームデータとが同期した時、ビデオモードに切り替える段階と、を含む。
【００１３】
前記ビデオモードは、前記ディスプレイドライバが前記アプリケーションプロセッサから受信された新たなフレームデータを直接前記ディスプレイに伝送するモードであり得る。前記判断する段階は、前記第１フレームデータの第１バーティカル・ブランキング・インターバル（Ｖｅｒｔｉｃａｌ  Ｂｌａｎｋｉｎｇ  Ｉｎｔｅｒｖａｌ）と前記第２フレームデータの第２バーティカル・ブランキング・インターバルとが互いに重なるか否かによって、前記第１フレームデータと前記第２フレームデータとの同期如何を判断することができる。
【発明の効果】
【００１４】
本発明の実施形態によるディスプレイドライバの動作方法、及びディスプレイ制御システムは、前記ディスプレイドライバによって静止映像の有無を判断し、パネル・セルフリフレッシュ・モードを離脱する時、映像のテアリング現象またはフレーム損失を防止することができる。
【図面の簡単な説明】
【００１５】
【図１】本発明の一実施形態によるディスプレイ制御システムのブロック図。
【図２】図１に示されたＰＳＲコントローラのブロック図。
【図３】図１に示されたディスプレイドライバの動作方法の一実施形態を説明するフローチャート。
【図４】図１に示されたディスプレイドライバの動作方法の一実施形態を説明する図表。
【図５】図１に示されたディスプレイドライバの動作方法の他の実施形態を説明するフローチャート。
【図６】図１に示されたディスプレイドライバの動作方法の他の実施形態を説明する図表。
【図７】本発明の他の実施形態によるディスプレイ制御システムのブロック図。
【図８】図７に示されたＰＳＲコントローラのブロック図。
【図９】図７に示されたディスプレイドライバの動作方法を説明するフローチャート。
【図１０】図７に示されたディスプレイドライバの動作方法を説明する概念図。
【発明を実施するための形態】
【００１６】
以下、添付した図面を参照して、本発明を詳しく説明する。
図１は、本発明の一実施形態によるディスプレイ制御システムのブロック図を示す。図１を参照すると、ディスプレイ制御システム１０Ａは、外部メモリ１１、アプリケーションプロセッサ２０、ディスプレイドライバ４０Ａ、及びディスプレイ６０を含む。
図１から図８を参照して説明されるディスプレイ制御システム１０Ａまたは１０Ｂは、ＴＶ（Ｔｅｌｅｖｉｓｉｏｎ）、ＤＴＶ（Ｄｉｇｉｔａｌ  ＴＶ）、ＩＰＴＶ（Ｉｎｔｅｒｎｅｔ  Ｐｒｏｔｏｃｏｌ  ＴｅｌｅＶｉｓｉｏｎ）、コンピュータ、または携帯用装置（ｐｏｒｔａｂｌｅ  ｄｅｖｉｃｅ）として具現可能である。
【００１７】
携帯用装置は、２次元ディスプレイ６０または３次元ディスプレイ６０を含む装置であって、ラップトップコンピュータ（ｌａｐｔｏｐ  ｃｏｍｐｕｔｅｒ）、携帯電話（ｍｏｂｉｌｅ  ｐｈｏｎｅ）、スマートフォン（ｓｍａｒｔ  ｐｈｏｎｅ）、タブレット（ｔａｂｌｅｔ）ＰＣ、ＰＤＡ（Ｐｅｒｓｏｎａｌ  Ｄｉｇｉｔａｌ  Ａｓｓｉｓｔａｎｔ）、ＥＤＡ（Ｅｎｔｅｒｐｒｉｓｅ  Ｄｉｇｉｔａｌ  Ａｓｓｉｓｔａｎｔ）、デジタルスチルカメラ（Ｄｉｇｉｔａｌ  Ｓｔｉｌｌ  Ｃａｍｅｒａ）、デジタルビデオカメラ（Ｄｉｇｉｔａｌ  Ｖｉｄｅｏ  Ｃａｍｅｒａ）、ＰＭＰ（Ｐｏｒｔａｂｌｅ  ＭｕｌｔｉｍｅｄｉａＰｌａｙｅｒ）、ＰＮＤ（Ｐｅｒｓｏｎａｌ  Ｎａｖｉｇａｔｉｏｎ  ＤｅｖｉｃｅまたはＰｏｒｔａｂｌｅ  Ｎａｖｉｇａｔｉｏｎ  Ｄｅｖｉｃｅ）、ヘンドヘルドゲームコンソール（Ｈａｎｄｈｅｌｄ  Ｇａｍｅ  Ｃｏｎｓｏｌｅ）、または電子ブック（ｅ−ｂｏｏｋ）として具現可能である。
【００１８】
外部メモリ１１は、ＤＲＡＭ（Ｄｙｎａｍｉｃ  Ｒａｎｄｏｍ  Ａｃｃｅｓｓ  Ｍｅｍｏｒｙ）のような揮発性メモリとして具現可能である。また、外部メモリ１１は、フラッシュ（ｆｌａｓｈ）メモリ、抵抗性（ｒｅｓｉｓｔｉｖｅ）メモリ、または相変換メモリ（Ｐｈａｓｅ  Ｃｈａｎｇｅ  Ｒａｎｄｏｍ  Ａｃｃｅｓｓ  Ｍｅｍｏｒｙ、ＰＲＡＭ）のような不揮発性メモリとして具現可能である。
アプリケーションプロセッサ２０は、チャネルＣＨを通じてフレームデータＦＲＡＭＥをディスプレイドライバ４０Ａに伝送しうる。アプリケーションプロセッサ２０は、バス２１を通じて互いに通信することができるＣＰＵ（Ｃｅｎｔｒａｌ  Ｐｒｏｃｅｓｓｉｎｇ  Ｕｎｉｔ）２３、メモリコントローラ２５、及び伝送インターフェース２７を含みうる。
【００１９】
ＣＰＵ２３は、アプリケーションプロセッサ２０の動作を全般的に制御する。例えば、ＣＰＵ２３は、メモリコントローラ２５と伝送インターフェース２７とを制御することができる。メモリコントローラ２５は、外部メモリ１１から出力されたイメージデータ、例えば、動画データまたは静止映像データをバス２１を通じて伝送インターフェース２７に伝送しうる。
伝送インターフェース２７は、チャネルＣＨを通じてディスプレイドライバ４０ＡにフレームデータＦＲＡＭＥを伝送する。実施形態によって、伝送インターフェース２７は、チャネルＣＨを通じてディスプレイドライバ４０Ａに多様な信号を伝送しうる。他の実施形態によって、伝送インターフェース２７は、チャネルＣＨを通じてディスプレイドライバ４０Ａから多様な信号、例えば、フレームデータ伝送中止要請信号ＩＲＱを受信することができる。伝送インターフェース２７は、ＣＰＵインターフェース、ＲＧＢインターフェース、またはシリアルインターフェース（ｓｅｒｉａｌ  ｉｎｔｅｒｆａｃｅ）として具現可能である。実施形態によって、伝送インターフェース２７は、ＭＤＤＩ（Ｍｏｂｉｌｅ  Ｄｉｓｐｌａｙ  Ｄｉｇｉｔａｌ  Ｉｎｔｅｒｆａｃｅ）、ＭＩＰＩＲ（Ｍｏｂｉｌｅ  Ｉｎｄｕｓｔｒｙ  Ｐｒｏｃｅｓｓｏｒ  Ｉｎｔｅｒｆａｃｅ）、ＳＰＩ（Ｓｅｒｉａｌ  Ｐｅｒｉｐｈｅｒａｌ  Ｉｎｔｅｒｆａｃｅ）、Ｉ２Ｃ（Ｉｎｔｅｒ  ＩＣ）インターフェース、ＤＰ（ＤｉｓｐｌａｙＰｏｒｔ）を支援するインターフェース、ｅＤＰ（ｅｍｂｅｄｄｅｄ  ＤｉｓｐｌａｙＰｏｒｔ）を支援するインターフェース、またはＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）として具現可能である。
【００２０】
ディスプレイドライバ４０Ａは、アプリケーションプロセッサ２０から連続して出力された複数のフレームデータを分析し、該分析の結果によって、前記複数のフレームデータに対応するイメージが静止映像であるか否かを判断し、該判断の結果によって、複数のフレームデータに対応するイメージが静止映像である時、パネル・セルフリフレッシュ（ＰＳＲ）・モードに進入する。
本明細書で、ＰＳＲモードは、ディスプレイドライバ４０Ａが静止映像に対応するフレームデータを保存し、該保存されたフレームデータをディスプレイ６０に伝送するモードを意味する。また、ビデオモードは、ディスプレイドライバ４０Ａがアプリケーションドライバ２０から出力されたフレームデータＦＲＡＭＥをディスプレイ６０に直接出力するモードを意味する。
【００２１】
実施形態によって、ディスプレイドライバ４０Ａは、ディスプレイ６０に伝送されるフレームデータのフレームレートを調節することができる。例えば、ＰＳＲモードでディスプレイドライバ４０Ａは、フリッカ（ｆｌｉｃｋｅｒ）が発生しない範囲でディスプレイ６０に伝送されるフレームデータのフレームレートを減少させることができる。実施形態によって、ＰＳＲモードでアプリケーションプロセッサ２０は、フレームデータの出力を中止することができる。例えば、アプリケーションプロセッサ２０は、ディスプレイドライバ４０Ａから出力されたフレームデータ伝送中止要請信号ＩＲＱに応答して、フレームデータの出力を中止することができる。
ディスプレイドライバ４０Ａは、受信インターフェース４１、ＰＳＲコントローラ４３Ａ、フレームバッファ４５、ＭＵＸ４７、ディスプレイインターフェース４９を含みうる。
【００２２】
受信インターフェース４１は、チャネルＣＨを通じてアプリケーションプロセッサ２０から出力されたフレームデータＦＲＡＭＥを受信する。実施形態によって、受信インターフェース４１は、チャネルＣＨを通じてアプリケーションプロセッサ２０から多様な信号を受信することができる。他の実施形態によって、受信インターフェース４１は、チャネルＣＨを通じてアプリケーションプロセッサ２０に多様な信号、例えば、フレームデータ伝送中止要請信号ＩＲＱを伝送しうる。受信インターフェース４１は、伝送インターフェース２７と同じインターフェースとして具現可能である。
ＰＳＲコントローラ４３Ａは、アプリケーションプロセッサ２０から受信インターフェース４１を通じて受信された複数のフレームデータを受信し、該受信された複数のフレームデータを分析し、該分析の結果によって、前記複数のフレームデータに対応する映像が静止映像である時、ＰＳＲモードに進入する。ＰＳＲコントローラ４３Ａが、複数のフレームデータに対応する映像が静止映像であるか否かを判断する方法は、図３または図５でより詳細に説明される。
【００２３】
図２は、図１に示されたＰＳＲコントローラのブロック図を示す。図１及び図２を参照すると、ＰＳＲコントローラ４３Ａは、ＣＲＣ比較回路４３１、フレームデータ比較回路４３２、ＰＳＲ制御回路４３３Ａ、及びメモリ４３５を含む。図２では、説明の便宜上、フレームバッファ４５が共に示されている。
ＣＲＣ比較回路４３１は、受信インターフェース４１を通じてアプリケーションプロセッサ２０から連続して受信された複数のフレームデータ、例えば、第１フレームデータのそれぞれのＣＲＣを演算し、該演算されたＣＲＣを互いに比較する。具体的に、ＣＲＣ比較回路４３１は、複数のフレームデータのうちの何れか１つのフレームデータのＣＲＣを演算し、該演算されたＣＲＣをメモリ４３５に保存する。ＣＲＣ比較回路４３１は、何れか１つのフレームデータに連続して受信された他の１つのフレームデータのＣＲＣを演算し、該演算されたＣＲＣ（すなわち、他の１つのフレームデータのＣＲＣ）とメモリ４３５に保存されたＣＲＣ（すなわち、何れか１つのフレームデータのＣＲＣ）とを互いに比較する。
【００２４】
比較の結果によって、演算されたＣＲＣが互いに一致する時、ＣＲＣ比較回路４３１は、フレームデータ比較回路４３２とＰＳＲ制御回路４３３Ａとに、演算されたＣＲＣが互いに一致することを示すＣＲＣ比較結果信号ＣＲ１を出力する。
実施形態によって、ＣＲＣ比較回路４３１は、演算されたＣＲＣが互いに一致する第１フレームデータが基準個数以上である時、フレームデータ比較回路４３２とＰＳＲ制御回路４３３Ａとに、ＣＲＣ比較結果信号ＣＲ１を出力することができる。他の実施形態によって、ＣＲＣ比較回路４３１は、演算されたＣＲＣが互いに一致する第１フレームデータがある時、フレームデータ比較回路４３２とＰＳＲ制御回路４３３Ａとに、ＣＲＣ比較結果信号ＣＲ１を出力することができる。
【００２５】
フレームデータ比較回路４３２は、ＣＲＣ比較回路４３１から出力されたＣＲＣ比較結果信号ＣＲ１に応答して、第１フレームデータと第１フレームデータに連続して入力される複数のフレームデータ、例えば、第２フレームデータとを比較する。具体的に、フレームデータ比較回路４３２は、第１フレームデータをフレームバッファ４５に保存する。フレームデータ比較回路４３２は、フレームバッファ４５から保存されたフレームデータＳＦＲＡＭＥをリード（ｒｅａｄ）し、保存されたフレームデータＳＦＲＡＭＥと第２フレームデータとを互いに比較する。
該比較の結果によって、保存されたフレームデータＳＦＲＡＭＥと前記第２フレームデータとが互いに一致する時、フレームデータ比較回路４３２は、ＰＳＲ制御回路４３３Ａに保存されたフレームデータＳＦＲＡＭＥと第２フレームデータとが互いに一致することを示すフレームデータ比較結果信号ＣＲ２を出力する。
【００２６】
実施形態によって、フレームデータ比較回路４３２は、保存されたフレームデータＳＦＲＡＭＥと第２フレームデータとが互いに一致する時、ＰＳＲ制御回路４３３Ａにフレームデータ比較結果信号ＣＲ２を出力することができる。他の実施形態によって、フレームデータ比較回路４３２は、保存されたフレームデータＳＦＲＡＭＥと一致する第２フレームデータが基準個数以上である時、ＰＳＲ制御回路４３３Ａにフレームデータ比較結果信号ＣＲ２を出力する。
ＰＳＲ制御回路４３３Ａは、ＣＲＣ比較回路４３１から出力されたＣＲＣ比較結果信号ＣＲ１とフレームデータ比較回路４３２から出力されたフレームデータ比較結果信号ＣＲ２とに応答して、ＰＳＲコントローラ４３Ａの動作モードをビデオモードからＰＳＲモードに切り替え、ＭＵＸ４７に制御信号ＣＳを出力する。
制御信号ＣＳは、ビデオモードで受信インターフェース４１から出力されたフレームデータＦＲＡＭＥを出力し、ＰＳＲモードでフレームバッファ４５から出力された保存されたフレームデータＳＦＲＡＭＥを出力するように、ＭＵＸ４７を制御するための信号である。
【００２７】
実施形態によって、ＰＳＲ制御回路４３３Ａは、ビデオモードからＰＳＲモードに切り替えられる時、受信インターフェース４１にフレームデータ伝送中止要請信号ＩＲＱを出力することができる。受信インターフェース４１は、ＰＳＲ制御回路４３３Ａから出力されたフレームデータ伝送中止要請信号ＩＲＱをチャネルＣＨを通じてアプリケーションプロセッサ２０に伝送しうる。アプリケーションプロセッサ２０は、フレームデータ伝送中止要請信号ＩＲＱに応答して、フレームデータの出力を中止することができる。
フレームバッファ４５は、ＰＳＲコントローラ４３Ａから受信されたフレームデータＦＲＡＭＥを保存し、ＰＳＲコントローラ４３ＡとＭＵＸ４７に保存されたフレームデータＳＦＲＡＭＥを出力する。
【００２８】
ＭＵＸ４７は、ＰＳＲコントローラ４３Ａから出力された制御信号ＣＳによって、受信インターフェース４１から出力されたフレームデータＦＲＡＭＥとフレームバッファ４５から出力された保存されたフレームデータＳＦＲＡＭＥとのうちの何れか１つをディスプレイインターフェース４９に出力する。
ディスプレイインターフェース４９は、ＭＵＸ４７から出力されたフレームデータＦＲＡＭＥまたは保存されたフレームデータＳＦＲＡＭＥをディスプレイ６０に伝送する。ディスプレイ６０は、ビデオモードでフレームバッファ４５を通じていないフレームデータＦＲＡＭＥをディスプレイし、ＰＳＲモードでフレームバッファ４５に保存されたフレームデータＳＦＲＡＭＥをディスプレイする。
【００２９】
図３は、図１に示されたディスプレイドライバの動作方法の一実施形態を説明するフローチャート（ｆｌｏｗ  ｃｈａｒｔ）を示し、図４は、図１に示されたディスプレイドライバの動作方法の一実施形態を説明する表である。
図１ないし図４を参照すると、ディスプレイドライバ４０Ａは、アプリケーションプロセッサ２０からフレームデータを受信し（ステップＳ１００）、該受信されたフレームデータのＣＲＣを演算する（ステップＳ１１０）。
ディスプレイドライバ４０Ａは、演算されたＣＲＣとメモリ４３５に保存されたＣＲＣとを比較する（ステップＳ１２０）。該比較の結果によって、演算されたＣＲＣとメモリ４３５に保存されたＣＲＣとが一致しない時、ディスプレイドライバ４０Ａは、演算されたＣＲＣをメモリに保存する（ステップＳ１３０）。比較の結果によって、演算されたＣＲＣとメモリ４３５に保存されたＣＲＣとが一致する時、ディスプレイドライバ４０Ａは、ＣＲＣの一致回数（Ｎ）をカウントする（ステップＳ１４０）。実施形態によって、Ｓ１１０ないしＳ１４０は、ディスプレイドライバ４０ＡのＣＲＣ比較回路４３１によって行われる。
【００３０】
一致回数（Ｎ）が基準回数以上である時（ステップＳ１５０）、ディスプレイドライバ４０Ａは、以前フレームデータをフレームバッファ４５に保存し（ステップＳ１６０）、新たなフレームデータを受信する（ステップＳ１７０）。ディスプレイドライバ４０Ａは、フレームバッファ４５に保存されたフレームデータとこの新たなフレームデータとを互いに比較し（ステップＳ１８０）、該比較の結果によって、保存されたフレームデータと前記新たなフレームデータとが互いに一致する時、連続して入力された複数のフレームデータに対応するイメージが静止映像であると判断し、ＰＳＲモードに進入する（ステップＳ１９０）。実施形態によって、Ｓ１６０ないしＳ１８０は、ディスプレイドライバー４０Ａのフレームデータ比較回路４３２によって行われ、Ｓ１９０は、ＰＳＲ制御回路４３３Ａによって行われる。
【００３１】
保存されたフレームデータと新たなフレームデータのそれぞれは、イメージデータとこのイメージデータに対応するＣＲＣとを含みうる。
例えば、図４で示すように、基準回数が３０回である時、ディスプレイドライバ４０Ａは、連続して受信されるフレームデータＦＲＡＭＥ１ないしＦＲＡＭＥ３０のＣＲＣを互いに比較する。該比較の結果によって、フレームデータＦＲＡＭＥ１ないしＦＲＡＭＥ３０のＣＲＣのそれぞれが、３０回互いに一致する時、ディスプレイドライバ４０Ａは、フレームデータＦＲＡＭＥ１ないしＦＲＡＭＥ３０と３１番目のフレームデータＦＲＡＭＥ３１とを互いに比較する。該比較の結果によって、フレームデータＦＲＡＭＥ１ないしＦＲＡＭＥ３０と３１番目のフレームデータＦＲＡＭＥ３１とが互いに一致する時、ディスプレイドライバ４０Ａは、ビデオモードからＰＳＲモードに切り替えられる。
【００３２】
図５は、本発明の他の実施形態によるディスプレイドライバの動作方法を説明するフローチャートを示し、図６は、本発明の他の実施形態による静止映像の判断方法を説明する表である。図１、図２、図５、及び図６を参照すると、ディスプレイドライバ４０Ａは、アプリケーションプロセッサ２０からフレームデータを受信し（ステップＳ２００）、該受信されたフレームデータのＣＲＣを演算する（ステップＳ２１０）。
ディスプレイドライバ４０Ａは、演算されたＣＲＣとメモリ４３５に保存されたＣＲＣとを比較する（ステップＳ２２０）。該比較の結果によって、演算されたＣＲＣとメモリ４３５に保存されたＣＲＣとが一致しない時、ディスプレイドライバ４０Ａは、前記演算されたＣＲＣをメモリに保存する（ステップＳ２３０）。比較の結果によって、前記演算されたＣＲＣとメモリ４３５に保存されたＣＲＣとが一致する時、ディスプレイドライバ４０Ａは、以前フレームデータをフレームバッファ４５に保存する（ステップＳ２４０）。
ディスプレイドライバ４０Ａは、アプリケーションプロセッサ２０から新たなフレームデータを受信し（ステップＳ２５０）、該受信された新たなフレームデータのＣＲＣを演算し（ステップＳ２６０）、該演算されたＣＲＣとメモリ４３５に保存されたＣＲＣとを比較する（ステップＳ２７０）。
【００３３】
比較の結果によって、演算されたＣＲＣとメモリ４３５に保存されたＣＲＣとが一致しない時、ディスプレイドライバ４０Ａは、演算されたＣＲＣをメモリ４３５に保存する（ステップＳ２８０）。比較の結果によって、演算されたＣＲＣとメモリ４３５に保存されたＣＲＣとが一致する時、ディスプレイドライバ４０Ａは、新たなフレームデータとメモリバッファ４５に保存されたフレームデータとを比較する（ステップＳ２９０）。該比較の結果によって、新たなフレームデータとメモリバッファ４５に保存されたフレームデータとが一致する時、ディスプレイドライバ４０Ａは、一致回数（Ｎ）をカウントし（ステップＳ３００）、一致回数（Ｎ）と基準回数とを比較する（ステップＳ３１０）。
ディスプレイドライバ４０Ａは、一致回数（Ｎ）が基準回数以上になるまで、Ｓ２５０からＳ３００を反復し、一致回数（Ｎ）が基準回数以上である時、ディスプレイドライバ４０Ａは、ビデオモードからＰＳＲモードに切り替えられる。
【００３４】
実施形態によって、Ｓ２１０ないしＳ２３０、及びＳ２６０ないしＳ２８０は、ディスプレイドライバ４０ＡのＣＲＣ比較回路４３１によって行われ、Ｓ２４０、及びＳ２９０ないしＳ３１０は、フレームデータ比較回路４３２によって行われ、Ｓ３２０は、ＰＳＲ制御回路４３３Ａによって行われる。例えば、図６で示すように、基準回数が３０回である時、ディスプレイドライバ４０Ａは、連続して受信されるフレームデータＦＲＡＭＥ１及びＦＲＡＭＥ２のＣＲＣのそれぞれを互いに比較する。該比較の結果によって、各フレームデータＦＲＡＭＥ１及びＦＲＡＭＥ２のＣＲＣが互いに一致する時、ディスプレイドライバ４０Ａは、フレームデータＦＲＡＭＥ１及びＦＲＡＭＥ２とフレームデータＦＲＡＭＥ１及びＦＲＡＭＥ２に連続して受信されるフレームデータＦＲＡＭＥ３ないしＦＲＡＭＥ３１とを互いに比較する。該比較の結果によって、フレームデータＦＲＡＭＥ１及びＦＲＡＭＥ２とフレームデータＦＲＡＭＥ３ないしＦＲＡＭＥ３１とが互いに一致する時、ディスプレイドライバ４０Ａは、ビデオモードからＰＳＲモードに切り替えられる。
【００３５】
図７は、本発明の他の実施形態によるディスプレイ制御システムのブロック図を示す。図７を参照すると、ディスプレイ制御システム１０Ｂは、外部メモリ１１、アプリケーションプロセッサ２０、ディスプレイドライバ４０Ｂ、及びディスプレイ６０を含む。
図７に示された外部メモリ１１、アプリケーションプロセッサ２０、及びディスプレイ６０のそれぞれの機能及び動作は、図１に示された外部メモリ１１、アプリケーションプロセッサ２０、及びディスプレイ６０のそれぞれの機能及び動作と同一なので、説明を省略する。
ＰＳＲモードでディスプレイドライバ４０Ｂは、アプリケーションプロセッサ２０から出力されたフレームデータに応答して、ＰＳＲモードから中間モードに切り替える。
【００３６】
実施形態によって、アプリケーションプロセッサ２０が、ディスプレイドライバ４０Ｂから受信されたフレームデータ伝送中止要請信号ＩＲＱに応答して、フレームデータの出力を中止した時、ディスプレイドライバ４０Ｂは、アプリケーションプロセッサ２０から受信された新たなフレームデータに応答して、ＰＳＲモードから中間モードに切り替えることができる。他の実施形態によって、アプリケーションプロセッサ２０が、ディスプレイドライバ４０Ｂからフレームデータ伝送中止要請信号ＩＲＱを受信するにもかかわらず、継続的にフレームデータを出力する時、例えば、アプリケーションプロセッサ２０がＰＳＲモードを支援しない時、ディスプレイドライバ４０Ｂは、アプリケーションプロセッサ２０から連続して受信されたフレームデータのＣＲＣを互いに比較し、該比較の結果によって、ＣＲＣが互いに一致しない時、ディスプレイドライバ４０Ｂは、ＰＳＲモードから中間モードに切り替えることができる。
【００３７】
本明細書で、中間モードは、ディスプレイドライバ４０Ｂがアプリケーションプロセッサ２０から受信されたフレームデータを保存し、該保存されたフレームデータのフレームレートを調節し、該調節されたフレームデータをディスプレイ６０に伝送するモードを意味する。
ディスプレイドライバ４０Ｂは、アプリケーションプロセッサ２０から連続して受信されたフレームデータの間のバーティカル・ブランキング・インターバル（ＶｅｒｔｉｃａｌＢｌａｎｋｉｎｇ  Ｉｎｔｅｒｖａｌ、ＶＢＩ）とディスプレイ６０に連続して伝送されるフレームデータの間のＶＢＩとが重なるか否かによって、アプリケーションプロセッサ２０から受信されたフレームデータとディスプレイに伝送されるフレームデータとが互いに同期したか否かを判断する。
【００３８】
ディスプレイドライバ４０Ｂは、受信インターフェース４１、ＰＳＲコントローラ４３Ｂ、フレームバッファ４５、ＭＵＸ４７、ディスプレイインターフェース４９を含みうる。図７に示された受信インターフェース４１、フレームバッファ４５、ＭＵＸ４７、ディスプレイインターフェース４９のそれぞれの機能及び動作は、図１に示された受信インターフェース４１、フレームバッファ４５、ＭＵＸ４７、ディスプレイインターフェース４９のそれぞれの機能及び動作と同一なので、説明を省略する。
ＰＳＲコントローラ４３Ｂは、受信インターフェース４１を通じてアプリケーションプロセッサ２０から受信されたフレームデータＦＲＡＭＥの第１ＶＢＩとフレームバッファ４５からＭＵＸ４７に出力されるフレームデータＳＦＲＡＭＥの第２ＶＢＩとが重なるか否かによって、アプリケーションプロセッサ２０から受信されたフレームデータＦＲＡＭＥとフレームバッファ４５からＭＵＸ４７に出力されるフレームデータＳＦＲＡＭＥとの同期如何を決定する。
【００３９】
アプリケーションプロセッサ２０から受信されたフレームデータＦＲＡＭＥとフレームバッファ４５からＭＵＸ４７に出力されるフレームデータＳＦＲＡＭＥとが同期していない時、ＰＳＲコントローラ４３Ｂは、第２フレームデータＳＦＲＭＡＥのフレームレートを調節し、アプリケーションプロセッサ２０から受信されたフレームデータＦＲＡＭＥとフレームバッファ４５からＭＵＸ４７に出力されるフレームデータＳＦＲＡＭＥとが同期する時、ＰＳＲコントローラ４３Ｂは、中間モードからビデオモードに切り替えられる。
【００４０】
図８は、図７に示されたＰＳＲコントローラのブロック図を示す。図７及び図８を参照すると、ＰＳＲコントローラ４３Ｂは、第１ＶＢＩ感知器４３６、第２ＶＢＩ感知器４３７、同期化決定回路４３８、及びＰＳＲ制御回路４３３Ｂを含む。
第１ＶＢＩ感知器４３６は、受信インターフェース４１を通じてアプリケーションプロセッサ２０から受信されたフレームデータＦＲＡＭＥのＶＢＩを感知し、ＶＢＩを指示する第１ＶＢＩ信号ＶＢＩ１を同期化決定回路４３８に出力する。
第２ＶＢＩ感知器４３７は、フレームバッファ４５から出力されたフレームデータＳＦＲＡＭＥのＶＢＩを感知し、ＶＢＩを指示する第２ＶＢＩ信号ＶＢＩ２を同期化決定回路４３８に出力する。具体的に、第１ＶＢＩ感知器４３６と第２ＶＢＩ感知器４３７のそれぞれは、連続したフレームデータの間のバーティカル・ブランキング・インターバルを感知することができる。実施形態によって、ディスプレイドライバ４０は、フレームデータと共にアプリケーションプロセッサから出力されたデータイネーブル（ｄａｔａ  ｅｎａｂｌｅ）信号の受信如何によって、アプリケーションプロセッサ２０から連続して受信されたフレームデータの間のバーティカル・ブランキング・インターバルを感知することができる。
【００４１】
同期化決定回路４３８は、第１ＶＢＩ感知器４３６から出力された第１ＶＢＩ信号ＶＢＩ１と第２ＶＢＩ感知器４３７から出力された第２ＶＢＩ信号ＶＢＩ２とを受信し、第１ＶＢＩ信号ＶＢＩ１と第２ＶＢＩ信号ＶＢＩ２のそれぞれがＶＢＩを指示する時、ＰＳＲ制御回路４３３Ｂに同期化信号ＳＳを出力する。言い換えれば、同期化決定回路４３８は、受信インターフェース４１を通じてアプリケーションプロセッサ２０から受信されたフレームデータＦＲＡＭＥとフレームバッファ４５からＭＵＸ４７に出力されるフレームデータＳＦＲＡＭＥとが互いに同期した時、ＰＳＲ制御回路４３３Ｂに同期化信号ＳＳを出力する。
ＰＳＲ制御回路４３３Ｂは、同期化決定回路４３８から出力された同期化信号ＳＳに応答して、受信インターフェース４１を通じてアプリケーションプロセッサ２０から受信されたフレームデータＦＲＡＭＥを直接ディスプレイ６０に出力させるための制御信号ＣＳをＭＵＸ４７に出力する。
【００４２】
図９は、図７に示されたディスプレイドライバの動作方法を説明するフローチャートを示し、図１０は、図７に示されたディスプレイドライバの動作方法を説明する概念図である。
図７ないし図８を参照すると、ＰＳＲモードでディスプレイドライバ２０は、フレームバッファ４５に保存されたフレームＳＦＲＡＭＥをディスプレイ６０に出力する。ＰＳＲモードでディスプレイドライバ４０は、省エネのために、フリッカが発生しない範囲でフレームＳＦＲＡＭＥのフレームレートを調節し、該調節されたフレームをディスプレイに出力することができる（ステップＳ４００）。
ＰＳＲモードでディスプレイドライバ４０は、ＰＳＲモードの終了如何を判断する（ステップＳ４１０）。ディスプレイドライバ４０は、アプリケーションプロセッサ２０から受信された新たなフレームデータに応答して、ＰＳＲモードから中間モード（ｉｎｔｅｒｍｅｄｉａｔｅ  ｍｏｄｅ）に切り替えることができる。中間モードでディスプレイドライバ４０は、アプリケーションドライバ２０から受信されたフレームデータとディスプレイに伝送されるフレームデータとが互いに同期したか否かを判断する（ステップＳ４２０）。
【００４３】
該判断の結果によって、アプリケーションドライバ２０から受信されたフレームデータとディスプレイに伝送されるフレームデータとが互いに同期していない場合、ディスプレイドライバ４０は、アプリケーションプロセッサ２０から受信されたフレームデータを保存し、該保存されたフレームデータのフレームレートを調節し、該調節されたフレームデータをディスプレイ６０に伝送する（ステップＳ４３０）。実施形態によって、ディスプレイドライバ４０のＰＳＲコントローラ４３Ａは、フレームバッファ４５からＭＵＸ４７に出力される保存されたフレームデータＳＦＲＡＭＥのＶＢＩを減少させることによって、フレームレートを調節することができる。
判断の結果によって、アプリケーションドライバ２０から受信されたフレームデータとディスプレイに伝送されるフレームデータとが互いに同期した場合、ディスプレイドライバ４０は、中間モードからビデオモードに切り替えられる（ステップＳ４４０）。例えば、図８で示すように、ＰＳＲモードでディスプレイドライバ４０は、フレームバッファ４５に保存されたフレームデータＦＲＡＭＥ０をディスプレイ６０に出力する。アプリケーションプロセッサ２０から新たなフレームＦＲＡＭＥ１が受信されれば、ディスプレイドライバ４０は、ＰＳＲモードから中間モードに切り替える。
【００４４】
アプリケーションドライバ２０から受信されたフレームデータとディスプレイ６０に出力されるフレームデータとが互いに同期していない間（例えば、ＦＲＡＭＥ１、ＦＲＡＭＥ２、及びＦＲＡＭＥ３が出力される間）に、ディスプレイドライバ４０は、ディスプレイ６０に出力されるフレームデータのフレームレートを調節することによって、例えば、バーティカル・ブランキング・インターバルを減少させることによって、アプリケーションドライバ２０から受信されたフレームデータとディスプレイ６０に出力されるフレームデータとを同期させることができる。
アプリケーションドライバ２０から受信されたフレームデータとディスプレイ６０に出力されるフレームデータとが同期すれば、ディスプレイドライバ４０は、中間モードからビデオモードに切り替えられる。ビデオモードでディスプレイドライバ４０は、アプリケーションドライバ２０から出力されたフレームデータ（例えば、ＦＲＡＭＥ４及びＦＲＡＭＥ５）をディスプレイ６０に直接出力する。
【産業上の利用可能性】
【００４５】
本発明は、ディスプレイドライバと、それを含むシステムに使われる。
【符号の説明】
【００４６】
１０Ａ、１０Ｂ：ディスプレイ制御システム
１１：外部メモリ
２０：アプリケーションプロセッサ
２３：グラフィック・プロセッシング・ユニット
２５：メモリコントローラ
２７：伝送インターフェース
４０：ディスプレイドライバ
４１：受信インターフェース
４３：パネル・セルフリフレッシュ・コントローラ
４３１：ＣＲＣ比較回路
４３２：フレームデータ比較回路
４３３Ａ、４３３Ｂ：パネル・セルフリフレッシュ制御回路
４４５：メモリ
４４６：第１ＶＢＩ感知器
４４７：第２ＶＢＩ感知器
４４８：同期化決定回路
４５：フレームバッファ
４７：ＭＵＸ
４９：ディスプレイインターフェース
６０：ディスプレイ
【図１】
2013190777.tif 000003
【図２】
2013190777.tif 000004
【図３】
2013190777.tif 000005
【図４】
2013190777.tif 000006
【図５】
2013190777.tif 000007
【図６】
2013190777.tif 000008
【図７】
2013190777.tif 000009
【図８】
2013190777.tif 000010
【図９】
2013190777.tif 000011
【図１０】
2013190777.tif 000012